(57)【特許請求の範囲】
【請求項１】
電気湯沸かし器の外郭と、前記外郭内に設けた水を収容する容器と、前記容器底部に備えた加熱装置と、前記容器底部に略水平に設けた固定板と、送水装置と、温度過昇防止装置と、前記容器に感熱的に取り付けられた温度検知素子と、制御基板と、外部から電気を供給する給電部と、通電接続板ユニットとを備え、前記加熱装置、送水装置、温度過昇防止装置、温度検知素子、制御基板、給電部には通電のため接触させる接触端子を備え、前記通電接続板ユニットは導電回路を形成されるとともに弾性のある板材である板金配線部材と、前記板金配線部材の先端に形成された押圧発生部と、前記板金配線部材を挟持する上絶縁部材と下絶縁部材を一体に備え、前記接触端子と電気的に接続する構成とした電気湯沸かし器。
【請求項２】
固定板を容器底部に略水平に設け、前記固定板の上方に通電接続板ユニットを略水平に間隔を有して設け、前記固定板と通電接続板ユニットとの間に送水装置と温度過昇防止装置と温度検知素子と制御基板のうち、少なくとも１部品以上を前記固定板に固定させる構成とした請求項１記載の電気湯沸かし器。
【請求項３】
容器底部に通電接続板ユニットを略水平に設け、送水装置と温度過昇防止装置と温度検知素子と制御基板のうち、少なくとも１部品以上を前記通電接続板ユニットに固定し、前記通電接続板ユニットは固定板を兼ねる構成とした請求項１または２記載の電気湯沸かし器。
【請求項４】
通電接続板ユニットは、通常の工具で分解できる構成とした請求項１から３のいずれか１項記載の電気湯沸かし器。
【請求項５】
板金配線部材の端部には弾性により押圧する押圧発生部を形成し、送水装置と温度過昇防止装置と温度検知素子と制御基板と給電部のうち、少なくとも２部品以上を前記押圧発生部で接触端子を押圧して電気的に接続する構成とした請求項１から４のいずれか１項記載の電気湯沸かし器。
【請求項６】
外郭の底面部に開口部を形成し、通電接続板ユニットが前記開口部の投影内に位置して通電接続板ユニットが外郭の組み付け後に前記開口部から行えるとともに、前記通電接続板ユニットを組み付け後に底板を取り付ける構成とした請求項１、２、４、５のいずれか１項記載の電気湯沸かし器。
【請求項７】
制御基板を収納する防水ケースを備え、前記防水ケースの開口を通電接続板ユニットで塞ぐ構成とした請求項１、２、４、５、６のいずれか１項記載の電気湯沸かし器。
【請求項８】
外郭を組み付け後に開口部を通電接続板ユニットで閉塞して底板を兼ねる構成とした請求項６記載の電気湯沸かし器。
【発明の詳細な説明】
【０００１】
【発明の属する技術分野】
本発明は主として一般家庭または事務所等で使用される電気湯沸かし器に関するもので、特に内部の電気配線に関する。
【０００２】
【従来の技術】
従来この種の従来の電気湯沸かし器はたとえば図７、図８に示す。図７は電気湯沸かし器の断面図、図８は要部の分解斜視図である。１は水を収容する容器、２は容器１の底部に取り付けた固定板で、送水装置である遠心ポンプ３とターミナル台４と基板ボックス５とが取り付けられている。基板ボックス５には制御基板６が収納してある。７は容器１の底部に備えられた加熱手段であるヒータ８の端子である。ヒータ８や遠心ポンプ３への給電は制御基板６から行うために制御基板６と各部品を電線９で結線し、制御基板６への商用電源の供給はマグネット吸着式プラグ１０から行う。１１は外郭であり合成樹脂などで湯沸かし器の側面と底面を形成している。
【０００３】
製品の組立においては、図８に示すように容器１の底面を上側にして上枠１３の中央穴部１４に容器１の上側をセットし、容器１底部に固定板２を取付け、遠心ポンプ３、制御基板６を収納した基板ボックス５、ターミナル台４、温度検知素子１５、温度ヒューズ１６等を組み付ける。固定板２は容器１または取付金具１７にねじ止めされる。遠心ポンプ３、ターミナル台４は固定板２にねじ止めされる。制御基板６は基板ボックス５に収納されて固定板２に係止される。温度検知素子１５は容器１底部に感熱的に取り付けられ、固定板２中央にねじ止めされて固定される。温度ヒューズ１６は固定板２の一部と容器１底部とで挟持される。各部品の電気結線は制御基板６を中心に電線９で夫々結線される。１７は外郭１１と容器１とを取り付ける取付金具である。１８は外郭１１の底部を覆う裏板である。１９は制御基板６を操作する操作部である。電気は給電部２０を介してマグネット吸着式プラグ１０から供給されることとなる。各電気部品の結線が完了すると外郭１１の底部は裏板１８で封止される。
【０００４】
電気湯沸かし器の動作について簡単に述べる。容器１に水を入れてマグネット吸着式プラグ１０を給電部２０に接続する。制御基板６によりヒータ８への通電が制御され、温度検知素子１５により容器１内の湯温が検知されながら湯沸かしを行う。湯が沸くと自動的に保温状態を維持する。湯を所望のときは、操作部１９を操作して遠心ポンプ３を駆動して給湯する。
【０００５】
【発明が解決しようとする課題】
しかしながら、前記従来の構成では、遠心ポンプ３、制御基板６、ターミナル台４、温度検知素子１５、温度ヒューズ１６等をいちいち電線で結線しなければならない事と、誤った結線をするといった問題があった。
【０００６】
本発明は前記従来の課題を解決するもので、固定板上に略水平に配置された複数の電気部品の上部に通電接続板ユニットを載せて組み立てるだけで結線できる構成とすることにより、結線工程を省略できる電気湯沸かし器を提供することを目的とする。
【０００７】
【課題を解決するための手段】
前記従来の課題を解決するために、本発明の電気湯沸かし器は、固定板に通電ようの接続端子を設けた複数の電気部品を略水平に設け、板金配線部材を有した通電接続板ユニットを略水平に重ねるようにして取り付けて電気部品の電気接続ができるように構成したものである。これにより、電気部品を板金配線部材で一度に誤りなく結線できる電気湯沸かし器を提供することが出来る。
【０００８】
【発明の実施の形態】
請求項１に記載の発明は、電気湯沸かし器の外郭と、前記外郭内に設けた水を収容する容器と、前記容器底部に備えた加熱装置と、前記容器底部に略水平に設けた固定板と、送水装置と、温度過昇防止装置と、前記容器に感熱的に取り付けられた温度検知素子と、制御基板と、外部から電気を供給する給電部と、通電接続板ユニットとを備え、前記加熱装置、送水装置、温度過昇防止装置、温度検知素子、制御基板、給電部には通電のため接触させる接触端子を備え、前記通電接続板ユニットは導電回路を形成されるとともに弾性のある板材である板金配線部材と、前記板金配線部材の先端に形成された押圧発生部と、前記板金配線部材を挟持する上絶縁部材と下絶縁部材を一体に備え、前記接触端子と電気的に接続する構成としたことにより、板金配線部材で一度に誤りなく配線することができる。
【０００９】
請求項２に記載の発明は、請求項１に記載の構成において、固定板を容器底部に略水平に設け、前記固定板の上方に通電接続板ユニットを略水平に間隔を有して設け、前記固定板と通電接続板ユニットとの間に加熱装置と送水装置と温度過昇防止装置と温度検知素子と制御基板のうち、少なくとも１部品以上を前記固定板に固定させる構成としたことにより、電気部品の配線を一度に行えるとともに電気部品を一カ所に集結させてコンパクトな製品を構成することができてしかも結線を最短にすることができる。
【００１０】
請求項３に記載の発明は、請求項１または２記載の構成において、容器底部に通電接続板ユニットを略水平に設け、送水装置と温度過昇防止装置と温度検知素子と制御基板の内、少なくとも１部品以上を前記通電接続板ユニットに固定し、前記通電接続板ユニットで固定板を兼ねる構成としたことにより、複数の電気部品を通電接続板ユニットに略水平に配置することができるとともに部品点数を低減でき、よりコンパクトな設計ができる。
【００１１】
請求項４に記載の発明は、請求項１から３のいずれか１項記載の構成において、通電接続板ユニットは、通常の工具で分解できる構成としたことにより上下の絶縁部材を分離できる構成のため、簡単に分解することができて、金属材料と絶縁材料とに分別することができる。
【００１２】
請求項５に記載の発明は、請求項１から４のいずれか１項記載の構成において、板金配線部材の端部には弾性により押圧する押圧発生部を形成し、加熱装置と送水装置と温度過昇防止装置と給電部と温度検知素子と制御基板のうち、少なくとも２部品以上を前記押圧発生部で接触端子を押圧して電気接続をする構成としたことにより、部品の寸法ばらつきを吸収するとともに電気湯沸かし器の高温の内部雰囲気中で一度に配線でき、かつ押圧で接触を確実に保持して大電流が流れても発熱しない電気湯沸かし器を提供できる。
【００１３】
請求項６に記載の発明は、請求項１、２、４、５のいずれか１項記載の構成において、外郭の底面部に開口部を形成し、通電接続板ユニットが前記開口部の投影内に位置して通電接続板ユニットが外郭の組み付け後に前記開口部から行えるとともに、前記通電接続板ユニットを組み付け後に底板を取り付ける構成としたことにより、外郭の組み付け前でも組み付け後にでも電気部品の電気接続を一度にできる。
【００１４】
請求項７に記載の発明は、請求項１、２、４、５、６のいずれか１項記載の構成において、制御基板を収納する防水ケースを備え、前記防水ケースの開口を通電接続板ユニットで塞ぐ構成としたことにより、一度に電気部品の電気接続を行えるとともに、水を使用する電気製品である電気湯沸かし器の内部に水が侵入しても、制御基板への水の侵入を防止することができる。
【００１５】
請求項８に記載の発明は、請求項６記載の構成において、外郭を組み付け後に開口部を通電接続板ユニットで閉塞して底板を兼ねる構成としたことにより、電気部品を一度に電気接続することができるとともに、通電接続板ユニットで底板を兼ねて部品点数を削減することができ、さらに外郭を組み付けた後にでも通電接続板ユニットを組み付けることができる。
【００１６】
【実施例】
（実施例１）
本発明の実施例１について、図１から図３を参照しながら説明する。容器１、ヒータ８、マグネット吸着式プラグ１０、外郭１１、上枠１３、中央穴部１４、温度検知素子１５、取付金具１７、底板１８、は従来の技術で説明した構成要素と略同じ形状と機能であり、以下の全ての実施例において同じ名称と符号を使用する。
【００１７】
図１は湯沸かし器の要部の構成を示す斜視図である。一般的にこの種の電気湯沸かし器は上下を逆にして組み立てるものであり、組立状況についての図である。従って図面上の上方は製品の下方を示すが、以下全て図面の上下方向に従って説明する。２０は容器１底部にねじで固定された複数の部品を固定する固定板である。２１は固定板２０に係止された防水ケースで、制御基板２２が略水平に内部に収納してある。制御基板２２には上向きに複数の通電のため接触させる接触端子２３が伸設してあり、電気的に外部と結線できるように構成されている。２４は送水装置である遠心ポンプで、駆動用モータ２５には一対の通電のための接触端子２６が略水平に取り付けてある。
【００１８】
１５は温度検知素子で、板ばね２８で容器１底部に感熱的に取り付けてあり、通電のための接触端子２９が上向きに伸設して上端は直角に曲げてある。３０は熱硬化性樹脂等で形成されたターミナル台で、固定板２０にねじ止めされているとともに３個の通電のための接触端子３１が一端をヒータ８に接続してある。ヒータ８は消費電力１０００Ｗの湯沸かし用と消費電力１００Ｗの保温用があり、各々の共通端子は電気的に接続されている。従ってヒータ８には湯沸かし用と保温用と共通の３端子がある。この３端子と接触端子３１は接続する。接触端子３１の他端は平面のままであり、銀等の鍍金が施してある。
【００１９】
３２は容器１底部に固定板２０から伸設した押圧部であり、電気的に絶縁された温度過昇防止装置である温度ヒューズ３３を容器１底部に感熱的に押しつけている。温度ヒューズ３３の両端は先端に通電ようの接触端子３４を取り付けて上方に伸びている。３５は外郭１１にねじ３６で取り付けられた給電部であり、通電ようの接触端子４７を有し給電部３５を介してマグネット吸着式プラグ１０から電気が供給される。
【００２０】
３７は上絶縁部材であり、３８は下絶縁部材である。上絶縁部材３７と下絶縁部材３８とで略平面状の導電回路を形成した（図示せず）板金配線部材４２を挟持して通電接続板ユニット３９を構成し、一対の固定ねじ４０で上下が固定されて一体化されている。４１は上絶縁部材３７から伸設された固定部であり、取付金具１７と外郭１１とで挟持される。板金配線部材４２は遠心ポンプ２４のモータ２５の接触端子２６に電気を供給する接続部である。４４は接触端子３１に接続される板金配線部材４２の先端に形成された押圧発生部であり、板金配線部材４２の先端を略へ字状に折り曲げて角部を接触端子３１に接触させるようにしている。板金配線部材４２はリン青銅のような弾性のある板材であり、押圧発生部４４は通電接続板ユニット３９の固定部４１を取付金具１７にセットすると約２ｍｍ接触端子３１を下方に押す位置になるように設定されている。この２ｍｍ分だけ押圧発生部４４は変形して接触端子３１を確実に押すこととなる。
【００２１】
たとえば押圧発生部４４の弾性係数を１Ｎ／ｍｍとすると約２Ｎで押すこととなる。４６は押圧発生部４４とは上下反対に上方向に押す形状の押圧発生部であり、押圧発生部４４と同様に、給電部３５の給電ようの接触端子４７に押圧を加えながら電気的に接続される。４８も押圧発生部であり、押圧発生部４４と同じ方向（下）に押圧を加える。押圧発生部４８は温度ヒューズ３３の接触端子３４に押圧を加えながら電気的に接続される。４９は下絶縁部材３８に開口穴４９を設けて板金配線部材４２をのぞかせて形成した接続部であり、制御基板２２の接触端子２３に対応して電気的に接続される。
【００２２】
以上のように構成された電気湯沸かし器において、その組立について説明する。上枠１３の中央穴部１４に容器１をセットして、容器１底部にねじで固定板２０を固定する。固定板２０に防水ケース２１、遠心ポンプ２４、温度検知素子１５、ターミナル台３０、温度ヒューズ３３を取り付ける。防水ケース２１には制御基板２２を収納する。下絶縁部材３８に板金配線部材４２をセットして上絶縁部材３７を被せて固定ねじ４０で互いに固定して通電接続板ユニット３９を構成する。実際には板金配線部材４２は一枚の銅や黄銅等の金属板をプレス加工等で一次プレスして一枚の連続した板状の部品にしてから上絶縁部材３７にセットする。次に、下絶縁部材３８をセットして固定ねじ４０で固定してから再度プレス加工して各板金配線部材を電気的に独立した導体にする。
【００２３】
通電接続板ユニット３９の固定部４１を取付金具１７にセットする。このとき押圧発生部４４は接触端子３１に電気的に接続され、押圧発生部４８は温度ヒューズ３３の接触端子３４に各々電気的に接続される。また、温度検知素子２７や遠心ポンプ２４のモータ２５の接触端子２６、制御基板２２も板金配線部材４２で電気的に接続される。
【００２４】
外郭１１に給電部３５を止めねじ３６で固定する。外郭１１を容器１に被せるようにセットすると、押圧発生部４６は給電部３５の接触端子４７に電気的に接続される。
【００２５】
以上のようにして配線は通電接続板ユニット３９を取付金具１７にセットすることで全て完了する。また、通電接続板ユニット３９を分解するときは、固定ねじ４０を外すことで金属である板金配線部材４２と熱硬化性樹脂である上絶縁部材３７と下絶縁部材３８とに分解することができる。
【００２６】
製品の動作について説明する。容器１に水を入れる。次に給電部３５から電気を供給する。やがて沸騰すると湯温の変化率から制御基板２２は沸騰を検知してヒータ８への通電を停止する。
【００２７】
沸騰検知以降は容器１内の温度を検知する温度検知素子１５からの信号により制御基板２２がヒータ８への通電を制御して所定の温度に保温する。
【００２８】
以上のように本実施例によれば、固定板２０に複数の電気部品を略水平に配置することができるので、通電接続板ユニット３９をセットして各電気部品を電気的に接続することができる。また、板金配線部材４２が通電接続板ユニット３９と一体にされているのでいちいち作業者が配線をする必要がなく、誤配線することもない。
【００２９】
（実施例２）
本発明の実施例２について、図３と図４を参照しながら説明する。既に説明した実施例と同じ構成要素には同じ符号を付して説明を省略し異なるところを説明する。５４は容器１底部にねじなどで固定された通電接続板ユニットであり、実施例１における固定板２０の機能も兼ねる。通電接続板ユニット５４は熱硬化性樹脂で形成された上絶縁部材５２と下絶縁部材５３と、上絶縁部材５２と下絶縁部材５３の間に挟持された複数の板金配線部材５１で構成されており、下絶縁部材５２と下絶縁部材５３とは固定ねじ４０で固定されている。板金配線部材５１は通電のための複数の接触板を上絶縁部材５２から上方に伸設して先端を約９０度に折り曲げてある。
【００３０】
２４は通電接続板ユニット５１の上面に固定された遠心ポンプで、３０は通電接続板ユニット５４上面に固定されたターミナル台である。ターミナル台３０には接続端子３１が固定されていて、一端を加熱装置であるヒータ８に接続し他端は略水平に形成し、温度検知素子１５は固定ばねにより容器１底部に感熱的に固定され、一対の接触端子２９を上方に伸設して先端を約９０度に折り曲げている。３２は通電接続板ユニット５４から伸設した押さえ部であり、押さえ部３２と容器１底部とで温度ヒューズ３３を挟持している。温度ヒューズ３３の両端には接触端子３４が接続されている。２１は熱可塑性樹脂等で形成された防水ケースであり、上方に開口している。防水ケース２１には制御基板２２が略水平に収納されている。制御基板２２からは複数の接触端子２３が上方に伸設され、その先端は約９０度に折り曲げられている。
【００３１】
遠心ポンプ２４を通電接続板ユニット５４に固定すると、遠心ポンプ２４の駆動用モータ２５の接触端子２６は板金配線部材５１に電気的に接続される。接触端子３１、温度ヒューズ３３の接触端子３４、温度検知素子１５の接触端子２９は各電気部品を通電接続板ユニット５４に取り付けると板金配線部材５１に電気的に接続されることとなる。温度ヒューズ３３の接触端子３４は温度ヒューズ３３を通電接続板ユニット５４と容器１底部とで挟持すると接触端子３４に板金配線部材５１と電気的に接続されることとなる。制御基板２２の接触端子２３は制御基板２２を防水ケース２１に収納すると板金配線部材５１と電気的に接続されることとなる。３５は給電部であり、外郭１１に止めねじ３６で固定する。外郭１１の組み込み時に給電部３５の接触端子４７は板金配線部材５１と電気的に接続される。動作については実施例１と同じであり、省略する。
【００３２】
以上のように本実施例によれば、通電接続板ユニット５４に各電気部品を固定することで、板金配線部材５１によって各電気部品を配線することができる。また、板金配線部材５１が通電接続板ユニット５４内に挟持されているのでいちいち作業者が配線をする必要がなく、誤配線することがない。
【００３３】
（実施例３）
本発明の実施例３について、図５を参照しながら説明する。実施例１で説明した同じ構成要素には実施例１と同じ符号を付し異なるところを説明する。
【００３４】
図において２１は制御基板２２を内設した防水ケースで、上方が開口している。本実施例は防水ケース２１の開口部を通電接続板ユニット３９で水密に蓋をするとともに板金配線部材４２で電気接続をするものである。
【００３５】
３７ａは上絶縁部材３７から略水平に伸設された係止部であり、防水ケース２１の外周上面２１ａに当たって位置決めされる。下絶縁部材３８は防水ケース２１の内周に嵌合する形状に形成され、通電接続板ユニット３９を防水ケース２１にセットすると防水ケース２１の外周上面２１ａに下絶縁部材３８の外周が嵌合して制御基板２２を封入することとなる。このとき、配線構造は板金配線部材４２で行われるためリード線の出入り部が存在せず、隙間が発生しない。上絶縁部材３７の係止部３７ａは外周上面２１ａに当接して通電接続板ユニット３９が防水ケース２１との嵌合が完了する。
【００３６】
板金配線部材４２と電気部品との電気的接続は実施例１と同じであり、省略する。
【００３７】
以上のように構成された電気湯沸かし器において、その動作は実施例１と同じであり省略する。
【００３８】
通電接続板ユニット３９で防水ケース２１を密封することは、配線材料の出入り口の隙間から水が浸入することを防止するとともに、防水ケース２１に蓋の機能を持たせることになる。また、通電接続板ユニット３９で防水ケース２１の蓋をすると同時に各電気部品との接続も完了することとなる。また、板金配線部材４２が通電接続板ユニット３９内に挟持されているのでいちいち作業者が配線をする必要がなく、誤配線することがない。
【００３９】
（実施例４）
本発明の実施例４について、図６を参照しながら説明する。実施例１で説明した同じ構成要素には実施例１と同じ符号を付し異なるところを説明する。１００は外郭１１の底部に設けられた一対の取付穴である。１０１は外郭１１の底部に設けられた開口部であり、開口部１０１外周には略円形の段部１０２が設けてある。１０７は開口部１０１を塞ぐ熱硬化性樹脂で上絶縁部材１０５と下絶縁部材１０６とで形成されている通電接続板ユニットである。通電接続板ユニット１０７は略円盤状で外周近傍に固定穴１０４が設けてある。下絶縁部材１０６は上絶縁部材１０５より小さいので全周において全周係止部１０３が形成される。１０８は板金配線部材であり、端部１０９は上方に伸設されて先端は約９０度に折り曲げられている。１１０は下絶縁部材１０６に貫通穴を設けて形成した制御基板２２の接触端子２３との接続部で電気的に接続される。
【００４０】
また、板金配線部材１０８は各電気部品と電気的に接続されることとなる。上絶縁部材１０５は上方から見ると熱硬化性樹脂のみしか見えない形状で、板金配線部材１０８は見えない。
【００４１】
下絶縁部材１０６の外形は外郭１１の段部１０２に収容される形状であり、全周係止部１０３は段部１０２に嵌合する。１１１は固定ねじであり、固定穴１０４と取付穴１００とを貫通して取付金具１７に外郭１１と通電接続板ユニット１０７とを固定する。
【００４２】
以上のように構成された電気湯沸かし器において、組立について説明する。容器１と固定板２０と各電気部品との取付は実施例１と同じであり省略する。給電部３５は止めねじ３６で外郭１１に取り付けられる。外郭１１を容器１に組み付けたあと、通電接続板ユニット１０７を外郭１１下方から開口部１０１にセットする。全周係止部１０３を段部１０２に嵌合し、固定ねじ１１１で固定穴１０４と取付穴１００とを貫通して取付金具１７に固定する。このとき板金配線部材１０８の通電ようの接触板となる端部１０９は各電気部品と電気的に接続される。また、通電接続板ユニット１０７は外郭１１の開口部１０１を封止するので従来の技術で説明した底板１８の機能を有することとなる。外郭１１外部からは板金配線部材１０８は見えないので充電部分が外部に露出することはない。
【００４３】
以上のように本実施例によれば、通電接続板ユニット１０７を組み付けることで各電気部品の接続を完了するとともに、湯沸かし器の底板の機能を果たすので底板が不要となる。また、板金配線部材１０８が通電接続板ユニット１０７内に挟持されているのでいちいち作業者が配線をする必要がなく、誤配線することがない。
【００４４】
なお、絶縁部材は熱硬化性樹脂で形成したが、熱可塑性樹脂で形成しても良い。
【００４５】
また、各電気部品への配線は板金配線部材と従来のように電線で結線する構成を混在させても良い。
【００４６】
【発明の効果】
以上のように請求項１から８に記載の発明によれば、通電接続板ユニットの組み付けと同時に誤りのない配線を完了することができ、板金配線部材を分解することが簡便である電気湯沸かし器を提供することが出来る。
【図面の簡単な説明】
【図１】  本発明の実施例１を示す電気湯沸かし器の要部分解斜視図
【図２】  本発明の実施例１を示す電気湯沸かし器の要部断面図
【図３】  本発明の実施例２を示す電気湯沸かし器の要部分解斜視図
【図４】  本発明の実施例２を示す電気湯沸かし器の要部断面図
【図５】  本発明の実施例３を示す電気湯沸かし器の要部分解斜視図
【図６】  本発明の実施例４を示す電気湯沸かし器の要部分解斜視図
【図７】  従来の電気湯沸かし器の断面図
【図８】  従来の電気湯沸かし器の要部分解斜視図
【符号の説明】
１  容器
８  ヒータ（加熱装置）
１１  外郭
１５  温度検知素子
２０  固定板
２１  防水ケース
２２  制御基板
２４  遠心ポンプ（送水装置）
２３、２９、３１、３４、４７  接触端子
３３  温度ヒューズ（温度過昇防止装置）
３５  給電部
３７、５２、１０５  上絶縁部材
３８、５３、１０６  下絶縁部材
３９、５４、１０７  通電接続板ユニット
４２、５１、１０８  板金配線部材
４４、４６、４８  押圧発生部
１０１  開口部
【図１】
0003636165.tif 000002
【図２】
0003636165.tif 000003
【図３】
0003636165.tif 000004
【図４】
0003636165.tif 000005
【図５】
0003636165.tif 000006
【図６】
0003636165.tif 000007
【図７】
0003636165.tif 000008
【図８】
0003636165.tif 000009